(57)【要約】 【解決手段】    筒状に形成された本体部の下端部に鋸刃状の切断刃を形成して、その切断刃に刃の中央から刃先先端にかけて折り線をつけて、切断刃を折曲させて山型に形成したものであって、筒状の本体部の内面に保護枠を形成したマルチングシート用カッター。【効果】  マルチングシートを切り取る場合において使用するマルチングシート用カッターであって、切断刃の断面形状が山型状になっていることで、マルチングシートの下に硬い石などがあっても切断刃が曲げに強いマルチングシート用カッターを提供することができる。これで本体や切断刃の厚みが薄く形成でき、より切れ味がよく、より手軽で簡単なマルチングシート用カッターを提供することができる。【選択図】    図１
2005137237.tif 000002
【特許請求の範囲】
【請求項１】
金属板を筒状に形成した本体部の開口縁に鋸刃状の切断刃を形成し、
該本体部の開口縁に形成する切断刃を縦方向の折り線によって折曲形成したことを特徴とするマルチングシート用カッター。
【請求項２】
本体の開口縁に形成する切断刃は折り線の先端が刃の先端であることを特徴とする請求項１に記載のマルチングシート用カッター。
【請求項３】
筒状に形成する本体の内面であって開口端から一定寸法内奥部分に保護枠を装着したことを特徴とする請求項１又は２のいずれかに記載のマルチングシート用カッター。
【発明の詳細な説明】
【技術分野】
【０００１】
本発明は、植物を植えるときに、園芸などに使用しているマルチングシートを切り取る場合に使用するカッターに関するものである。
【背景技術】
【０００２】
園芸や農業などの分野において、雑草の発生を抑制し、土の乾燥や温度変化、土の舞い上がりを緩和、防止するためにマルチングと呼ばれる方法がとられ、現在はビニールシートなどを土の上に被覆している。これは上記の利点のみに限らず、植物を植える箇所の美観を向上させるといった効果もある。
このマルチングシートを切り取って植物を植えたり、種を蒔いたりしていたが、当初は鋏などで切り取っていたり、カッターナイフなどでマルチングシートに十字型の切り込みを入れて使用していたために、美観が悪かった。
【０００３】
そこで、従来からマルチングシートを切り取るためのものとして、
ハンドルの下方に円筒状のマルチカッターを設け、このマルチカッターの上部より水平方向に間隔調整可能な間隔針を設けるとともに、マルチカッターの中央下方に収集釘を設けたものがある。
(例えば、特許文献１参照)
また、マルチングシート用カッターが使用されていたが、従来からのマルチングシート用カッターは円筒状に形成した本体の端部に刃先を有し、この刃先には連続した複数個の尖頭錘によって刃が構成されているものもあった。
(例えば、特許文献２参照)
【０００４】
しかし、このようなマルチングシートを切り取るためのマルチングシート用カッターは、マルチングシートを簡単かつきれいに切り取ることができるものであるが、円筒状の本体の端部に構成される刃先がすぐに折れ曲がったり、刃先が折れてしまうなど強度的に問題があった。
マルチングシートを被せた場合、マルチングシートに覆われた部分は作業者から見えない場合が多く、マルチングシート用カッターを上から押し付けてマルチングシートを切り取ろうとしたときに、マルチングシートの下の土部分に石などの高い硬度をもつものがあることで、マルチングシート用カッターの刃が折れ曲がったりすることがあった。
【０００５】
その一方で、ガーデニングブームにより比較的広い層にまで園芸を楽しむ人が増えている。カッターの外側をリングでおさえて、上方に長く突出した柄と柄の先端に取り付けられた把手を回転させて使用する特許文献２に記載するマルチングシート用カッターでは、切取性能を向上させるあまり重厚なものになり、使用者が手軽に取り扱うことができず、コストもかかることから手軽で簡単な園芸用品が好まれるようになった。
【０００６】
【特許文献１】実開平２−１２２４４号公報（第１−４、第１図）
【特許文献２】実開昭６２−１６２５０号公報（第１−２頁、第１−３図）
【発明の開示】
【発明が解決しようとする課題】
【０００７】
そこで、本発明のマルチングシート用カッターは、刃先の強度をより強いものにしつつ、しかも手軽で簡単に使用することができるマルチングシート用カッターを提供するものである。
【課題を解決するための手段】
【０００８】
そこで本発明のマルチングシート用カッターは、金属板を筒状に形成した本体部の開口縁に鋸刃状の切断刃を形成し、該本体部の開口縁に形成する切断刃を縦方向の折り線によって折曲形成したことを特徴とするものである。
【０００９】
また、本体の開口縁に形成する切断刃は折り線の先端が刃の先端であることが好ましい。
【００１０】
また、筒状に形成する本体の内面であって開口端から一定寸法内奥部分に保護枠を装着したことが好ましい。
【発明の効果】
【００１１】
請求項１または２に記載の発明によって、マルチングシートを切り取るカッターで、より強度の高い刃部をもったマルチングシート用カッターを提供することができる。すなわち、折り線を形成することによって切断刃に凹凸が生じて切断刃の断面係数が上がり、切断刃を曲げようとする曲げ応力に対しても切断刃を曲げから防止することが可能である。
マルチングシートを上から押し付けて切除するときにマルチングシートの下に石など高い硬度をもつものがあったときにでも、カッターの刃が横に折れ曲がったり、折れてしまうことを防ぐことができる。
本発明のマルチングシート用カッターは、簡単な構造のものであるため、ガーデニングブームにより比較的園芸に対して初心者にとっても簡単かつ容易に使用することができ、簡単な構造のために低い生産コストで生産することができ、強度が高く、折れ曲がり難い刃をもつマルチングシート用のカッターを提供することができる。
【００１２】
しかも、切断刃の強度が上がることによって、本体部を全体的に薄手の幅の金属板で形成することができる。このため本体部の開口縁に切断刃が形成されていることから切断刃の幅も薄手になり、より鋭利な切断刃とすることができる。
その上、請求項２に記載される発明により、折り線の先端が切断刃の先端にあることで、切断刃の先端は山型になり、より鋭利な形状とすることができる。
【００１３】
その一方で請求項３に記載される発明により、本体部が薄手の金属板で形成できるため、本マルチングシート用カッターを使用したときに本体部が歪むように変形する場合があるが、保護枠を装着したことにより、本体部の歪みをなくすことができる。
また、保護枠が設けられていることにより、切断刃がマルチングシートを切り取る上で必要以上に土面に入り込むことを防ぐことで作業効率を高めることができる。
【発明を実施するための最良の形態】
【００１４】
本発明を実施するために最も良い形態を図面に即して説明する。
マルチングシート２は園芸などでよく用いられる方法で、植物を植える土面３にシートを設置することで、雑草の発生を抑制することができ、土の乾燥や温度変化の緩和、土の舞い上がりを防止するなどの効果があるものである。
このマルチングシート２を被覆させた土面３に植物４を植えようとするときには、図６に示すようにマルチングシート２にシート孔５を開け、その開孔部分に植物４を植えたり、種を蒔いたりする。
本発明のマルチングシート用カッター１は、このようにマルチングシート２にシート孔５を開孔するためのカッターである。
【００１５】
図１は本発明のマルチングシート用カッター１を示す斜視図である。
マルチングシート用カッター１は、本体部６、切断刃７、把手部８、保護枠９からなるものである。
本体部６はステンレス鋼からなる金属板であり、円筒状に形成されたものである。上端縁は使用者が怪我しないようにカエシ１０が形成されている。本体部６の一方の開口縁である下端縁には切断刃７が形成されている。本体部６は厚みが１ミリメートル以下のステンレス鋼からなる金属板に上方の縁部を折り返してカエシ１０を形成した後、円筒状になるよう丸めて重複部分を接合して形成される。この接合はリベット接合やその他の接合方法による接合であってもよい。
【００１６】
切断刃７は鋸刃状に連続して刃先が形成されており、本体部６の開口縁である下端の縁部に円周状に刃先が連続して形成されている。
切断刃７の内面側には折り線１１が形成されている。図２に示すように、この折り線１１により切断刃７は単なる鋸刃状の刃が連続しているのではなく、切断刃７は折り線１１を凸の頂点として刃の外側に向けて山型に隆起するように形成されており、折り線１１は各々の切断刃７の刃元の中央付近から刃先にかけて上下方向に形成されている。図５(ａ)には、図２のＡ−Ａ線断面図が示されており、図５(ｂ)には従来の切断刃１５の断面図も示されている。このように切断刃７は断面が山型に形成されており、この切断刃７により、切断刃７の内面から外面に若しくは外面から内面にかけての曲げ応力に対して曲げられ難く、かつ、鋭利になって切り込み易くなるように形成されている。
【００１７】
図３に示すように、切断刃７は円筒状に形成される前の本体部６の金属板の一方の側方縁を鋸刃状に切断して形成される。折り線１１は切断刃７の内面側からプレス加工により形成されるが、ある切断刃７と両側の切断刃７との間に、切断刃の外面側から縦補助折り線１２と、縦補助折り線１２の上端と折り線１１の上端とを結ぶ横補助折り線１３とが同様にプレス加工により形成される。折り線１１により各々の切断刃７は内面側から外面側にかけて山型状に形成されるが、縦補助折り線１２と横補助折り線１３により各々の切断刃７がきれいに山型状になるように形成されている。
【００１８】
保護枠９は本体部６の内面に取り付けられている。保護枠９は本体部６より幅の厚い帯状体を本体部６の内面に円周状に取り付けられており、本体部６に歪みが生じたりして変形するのを防止するようになっている。保護枠９は本体部６を円筒状に形成する場合に円形に丸めて本体部６に接合して形成されている。
図１に示すように、切断刃７の刃元より上方に保護枠９の下端があるように配置されており、保護枠９の厚みが約１ミリメートルの厚みをもつものを使用している。このため、保護枠９により切断刃７が必要以上に土面５に入り込まないストッパーの役割を果たしており、作業効率を上げることができる。なお、保護枠９の厚みは１ミリメートル以上のより厚いものであってもよい。
把手部８は半円状に形成された帯状体を本体部６の上縁に取り付けて形成されている。把手部８は使用者が持ちやすいように弾力性のあるカバーに被覆されており、本体部６の上縁に接合している。
【００１９】
次に、本発明の使用について説明する。
図４は本発明を使用している状態を示している。
使用者はマルチングシート用カッター１の把手部８を手１４にとり、マルチングシート２に対して垂直にマルチングシート用カッター１を下ろして、切断刃７をマルチングシート２に垂直にあてて切断する。切断する場合、マルチングシート用カッター１を垂直に下ろすだけでなく、本体部６の円周状に少し回して切断してもよい。
【００２０】
このマルチングシート用カッター１により、従来のカッターに比べて切断刃７の形態が折れ線１１を入れて内面側から外面側にかけて山型に形成されていることにより、切断刃７が折れ曲がったり、折れてしまうことを防ぐことができ、曲げ応力に対して強い切断刃７をもつマルチングシート用カッターを提供することができる。
従来のカッターでは切断刃で切断するときに、マルチングシートの下に石などの高い硬度のものがあると、すぐに切断刃７が折れ曲がってしまうことが多かったが、本発明のマルチングシート用カッター１によると、このようなことをなくすことができる。
【００２１】
つまり、折れ線１１と縦補助折れ線１２、横補助折り線１３をつけて切断刃７に凹凸ができるように形成することにより、切断刃７に凹凸をつけない通常の状態として形成するよりも切断刃７の断面係数が上がり、曲げ応力に対して強い切断刃７を形成することができる。
図５(ａ)には、図２のＡ−Ａ線断面図を示し、図５(ｂ)には凹凸をつけない通常の切断刃１４を示している。図５に示すように、従来の切断刃１５に比べて、本発明のマルチングシート用カッターは断面が山型状に形成されている。これにより曲げ応力に対して強い切断刃７を簡単な加工方法により実現することができる。
【００２２】
しかも、本体部６が比較的薄手の金属板により形成されており、切断刃７の中央から先端にかけて折れ線１１が形成されていることにより、切断刃７は山型に鋭利に形成されており、従来のマルチングシート用カッターよりも切れ味がよい。
その一方で、比較的薄手の金属板により形成されていることから、本体部６が歪むことがあるが、保護枠９が形成されていることにより、本体部６の歪みによる変形を防止することができ、切断刃７が必要以上に土面５に潜り込まない様にするためのストッパーの役割をもち、作業効率を向上させることができる。
【００２３】
近頃、ガーデニングがブームとなり、趣味として園芸を好む傾向が強まっているが、本発明のマルチングシート用カッター１は簡単な構造で簡単かつ容易に使用することができ、生産コストを低く抑えることができるために園芸を始めたばかりの人であっても、使いやすくかつ経済的である。
しかも簡単な構造で、コストも安いものであるが、切断刃７が折れ曲がり難く形成されており、利用価値の高いカッターである。
【図面の簡単な説明】
【００２４】
【図１】図１は、本発明のマルチングシート用カッターの一例を示した斜視図である。
【図２】図２は、本発明のマルチングシート用カッターの切断刃の一例を拡大して示した斜視図である。
【図３】図３は、本発明のマルチングシート用カッターの本体部を丸めて円筒状にする前の金属板の状態を示した正面図である。
【図４】図４は、本発明のマルチングシート用カッターの使用例を示した斜視図である。
【図５】図５(ａ)は図２のＡ−Ａ線断面図であり、図５(ｂ)は従来の切断刃の断面図を示したものである。
【図６】図６は、本発明のマルチングシート用カッターを使用するマルチングシートを示した斜視図である。
【符号の説明】
【００２５】
１…マルチングシート用カッター
２…マルチングシート
３…土面
４…植物
５…シート孔
６…本体部
７…切断刃
８…把手部
９…保護枠
１０…カエシ
１１…折り線
１２…縦補助折り線
１３…横補助折り線
１４…手
１５…従来の切断刃
【図１】
2005137237.tif 000003
【図２】
2005137237.tif 000004
【図３】
2005137237.tif 000005
【図４】
2005137237.tif 000006
【図５】
2005137237.tif 000007
【図６】
2005137237.tif 000008